(57)【要約】      （修正有）【課題】偏荷重を有する光ディスクを再生させた場合でも光ディスクに記録されたデータを正確に再生することができる光ディスク再生装置を提供する。【解決手段】筐体と、ローダ駆動手段と、前方に突出するピンを備え光ディスクを再生する再生部と、再生部の後方部分の左側面及び右側面からそれぞれ水平方向に突出する軸と、軸を軸支する軸受けと、ピン６０５を挿入しピンが上下方向に移動可能な長孔部１１１を備える保持部１１と、ピンを挿入する孔１８３を備えると共に突出するボス１８１を備えピンの上下方向の移動に伴い上昇または降下する昇降部１８と、ピンを上方に押圧する押圧手段１９と、回動可能に成され昇降部のボスを挿入する溝部１７３を備えるスパイラルカム１７と、スパイラルカムを時計回り方向または反時計回り方向に回転させるカム駆動部とを備え、保持部の長孔部は、上端部分に傾斜部１１２を備える。【選択図】図４
2012190499.tif 000002
【特許請求の範囲】
【請求項１】
筐体と、
前記筐体の前面に開口する開口部と、
光ディスクを載置するディスク載置部を備えるローダ部を備え前記開口部を介して当該ローダ部を前記筐体の外部から前記筐体の内部に移動させるローダ駆動手段と、
前面に前方に突出するピンを備え前記ローダ駆動手段によって前記筐体の内部に移動された光ディスクに記録されたデータを再生する再生部と、
前記再生部の後方部分の左側面及び右側面からそれぞれ水平方向に突出する軸と、
凹部を備え前記軸を当該凹部に挿入することによって前記軸を軸支する軸受けと、
前記ピンを挿入し前記ピンが上下方向に移動可能な長孔部を備える保持部と、
前記ピンを挿入する孔を備えると共に突出するボスを備え前記ピンの上下方向の移動に伴い上昇または降下する昇降部と、
前記ピンを上方に押圧する押圧手段と、
回動可能に成され前記昇降部の前記ボスを挿入する溝部を備えるスパイラルカムと、
前記スパイラルカムを時計回り方向または反時計回り方向に回転させるカム駆動部とを備え、
前記保持部の長孔部は、上端部分に傾斜部を備えることを特徴とする光ディスク再生装置。
【請求項２】
請求項１記載の光ディスク再生装置において、
前記昇降部の前記溝部は、外周部分から内周方向に湾曲しながら延在する細長いスパイラル形状であることを特徴とする光ディスク再生装置。
【請求項３】
請求項１または２記載の光ディスク再生装置において、
前記押圧手段は、前記昇降部の前記ボスに挿入される孔を備え当該孔から両側に延在した腕部によって前記ピンを上方に押圧するトーションスプリングであることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、光ディスクを載置したローダ部を筐体の内部に移動させ、筐体内部に備えるターンテーブルにより当該光ディスクを回転させることによって、光ディスクに記録されたデータを再生するディスクローディング機構を有する光ディスク再生装置が知られている（例えば、特許文献１参照。）。
【０００３】
特許文献１に開示された光ディスク再生装置は、光ディスクを回転させるターンテーブル及び光ディスクに記録されたデータを再生する光ピックアップ等を備えた再生部（特許文献１ではトラバース系２７）を備える。この再生部は、一端が筐体本体に軸支され、他端にピン（特許文献１ではピン部２８）を備える。このピンは、スライド部（特許文献１ではスライドレバーＡ１８）に備えた溝部（特許文献１ではカム溝２３）に係合し、当該スライド部がスライドすることによって昇降する。これにより、再生部は、筐体に軸支された一端部分を軸として上下に昇降可能となっている。
【０００４】
前述したように、特許文献１に開示された光ディスク再生装置は、先ず、ローダ部が光ディスクを筐体内に移動させ、次に、筐体内に移動された光ディスクの下方から筐体に一端が軸支された再生部が上昇して再生部に備えるターンテーブルが光ディスクを保持した後、当該ターンテーブルが光ディスクを回転させると共に光ピックアップが光ディスクに記録されたデータを読み取ることによって、光ディスクに記録されたデータを再生する構成となっている。
【先行技術文献】
【特許文献】
【０００５】
【特許文献１】特開平６−２５１４８１号公報
【発明の概要】
【発明が解決しようとする課題】
【０００６】
特許文献１に開示されているような従来の光ディスク再生装置は、通常、再生部の一端の左右側面からそれぞれ水平方向に軸が突出し、この軸を筐体に固定された軸受けが軸支することによって再生部の一端を軸支し、再生部の他端に備えるピンを上下方向に開口した溝に挿入した状態で当該ピンを昇降させる構成となっている。このため、再生部の他端に備えるピンを昇降させる部分において、温度変化によって溝に挿入されたピンが膨張して外径が大きくなると、当該ピンの外周部分が溝の内壁をスムーズに移動できなくなり、当該再生部がスムーズに昇降できなくなってしまうため、このピンの外周と溝の内周との間に予め所定の隙間を設けておくことが必要となる。
【０００７】
このように、従来の光ディスク再生装置は、再生部を昇降させるためのピンの外周と溝の内周との間に隙間が生じていることによって、筐体と再生部との間には左右方向及び上下方向にガタが生じた状態となる。このため、例えば、偏荷重を有する光ディスクをターンテーブルによって回転させた場合、光ディスクの有する偏荷重によって当該光ディスクが水平方向又は上下方向に振動する。このとき、筐体と再生部との間にガタが生じていることにより、光ディスクから発生した振動が再生部に備える光ピックアップにも伝達してしまい、光ディスクに記録されているデータを光ピックアップが正確に読み取ることができなくなる。また、光ディスクから発生した振動によって再生部が常に振動している状態が長時間に亘ると、この断続的な振動によって再生部に備える光ピックアップや他の電子部品が破損してしまう虞がある。
【０００８】
本発明は、再生部の一端に備える軸を軸受けにより軸支し、他端に備えるピンを溝部により昇降することによって光ディスクに記録されたデータを再生する光ディスク再生装置において、偏荷重を有する光ディスクを再生させた場合でも光ディスクに記録されたデータを正確に再生することができる光ディスク再生装置を提供することを目的とする。
【課題を解決するための手段】
【０００９】
本願の請求項１記載の発明は、筐体と、前記筐体の前面に開口する開口部と、光ディスクを載置するディスク載置部を備えるローダ部を備え前記開口部を介して当該ローダ部を前記筐体の外部から前記筐体の内部に移動させるローダ駆動手段と、前面に前方に突出するピンを備え前記ローダ駆動手段によって前記筐体の内部に移動された光ディスクに記録されたデータを再生する再生部と、前記再生部の後方部分の左側面及び右側面からそれぞれ水平方向に突出する軸と、凹部を備え前記軸を当該凹部に挿入することによって前記軸を軸支する軸受けと、前記ピンを挿入し前記ピンが上下方向に移動可能な長孔部を備える保持部と、前記ピンを挿入する孔を備えると共に突出するボスを備え前記ピンの上下方向の移動に伴い上昇または降下する昇降部と、前記ピンを上方に押圧する押圧手段と、回動可能に成され前記昇降部の前記ボスを挿入する溝部を備えるスパイラルカムと、前記スパイラルカムを時計回り方向または反時計回り方向に回転させるカム駆動部とを備え、前記保持部の長孔部は、上端部分に傾斜部を備えることを特徴とする。
【００１０】
本願の請求項２記載の発明は、請求項１記載の光ディスク再生装置において、前記昇降部の前記溝部は、外周部分から内周方向に湾曲しながら延在する細長いスパイラル形状であることを特徴とする。
【００１１】
本願の請求項３記載の発明は、請求項１または２記載の光ディスク再生装置において、前記押圧手段は、前記昇降部の前記ボスに挿入される孔を備え当該孔から両側に延在した腕部によって前記ピンを上方に押圧するトーションスプリングであることを特徴とする。
【発明の効果】
【００１２】
本発明によれば、再生部の一端に備える軸を軸受けにより軸支し、他端に備えるピンを溝部により昇降することによって光ディスクに記録されたデータを再生する光ディスク再生装置において、偏荷重を有する光ディスクを再生させた場合でも光ディスクに記録されたデータを正確に再生することができる光ディスク再生装置を提供することができる。
【図面の簡単な説明】
【００１３】
【図１】本発明の一実施例の光ディスク再生装置を示す上面図。
【図２】図２（ａ）は、本実施例の光ディスク再生装置１において、再生部６及び保持部１１の構成を示す正面図で、図２（ｂ）は、本実施例の光ディスク再生装置１において、スパイラルカム１７の構成を示す正面図。
【図３】図３（ａ）及び図３（ｂ）は、本実施例の光ディスク再生装置１において、昇降部１８の構成を示す図で、図３（ａ）は正面図、図３（ｂ）は図３（ａ）の側面図、図３（ｃ）はトーションスプリング１９の構成を示す正面図。
【図４】本実施例の光ディスク再生装置１において、再生部６、保持部１１、スパイラルカム１７、昇降部１８及びトーションスプリング１９の構成を示す正面図。
【図５】本実施例の光ディスク再生装置１において、ローダ部３によって光ディスクを筐体２の内部にローディングした場合における再生部６とスパイラルカム１７の動作の過程を説明する図。
【図６】本実施例の光ディスク再生装置１において、ローダ部３によって光ディスクを筐体２の内部にローディングした場合における再生部６とスパイラルカム１７の動作の過程を説明する図。
【図７】本実施例の光ディスク再生装置１において、図６（ａ）及び図６（ｂ）に示すように、再生部６が上昇した状態における保持部１１、スパイラルカム１７、昇降部１８、トーションスプリング１９及びピン６０５を示す正面図。
【発明を実施するための形態】
【００１４】
本発明の実施の形態を図面を参照して説明する。なお、従来技術で示した構成要素と同一の部分については同符号を用いる。
【００１５】
図１は、本発明の一実施例の光ディスク再生装置を示す上面図である。
光ディスク再生装置１は、筐体２、ローダ部３、案内部４、ローダ駆動用モータ５、再生部６、２つの軸受け７、保持部１１、カム駆動部１５、スパイラルカム１７、昇降部１８、トーションスプリング１９、カム軸支部２２、ギヤ軸支部２３、後述するクランパ１６及び図示しない制御部を備える。
図１においては、下方を光ディスク再生装置１の前方とする。
【００１６】
筐体２は、箱型を形成し、前面に開口部２０１を備える。ローダ部３は、平板であって、中央部分にディスク載置部３０１を備える。ディスク載置部３０１は、上面に図示しない光ディスクを載置可能な凹部３０２を備え、凹部３０２の中央部分に孔３０３を備える。ローダ部３の左右部分の下面にはそれぞれ下方に突出する凸部３０４を備え、上方から見て左側の凸部３０４の内側にはラックギヤ３０５を備える。
【００１７】
案内部４は、ローダ部３の左右の側面に近接した位置にそれぞれ配設された状態で筐体２に固定される。ローダ部３は、左右の側面に案内部４が近接していることによって、左右方向への移動が抑止され、筐体２に対して前後方向にのみ移動可能となる。ローダ駆動用モータ５は、回転軸にピニオン５０１を備え、このピニオン５０１は、ラックギヤ３０５に噛合っている。ローダ駆動用モータ５は、制御部の制御によりピニオン５０１を時計回り方向又は反時計回り方向に回転させる。ローダ部３は、ローダ駆動用モータ５のピニオン５０１が時計回り方向又は反時計回り方向に回転することによって、ピニオン５０１に噛合ったラックギヤ３０５が前後方向に移動し、開口部２０１を介して筐体２の前方と筐体２内部との間を自在にスライドする。
【００１８】
再生部６は、筐体２の内部に配設され、上面にターンテーブル６０１、スピンドルモータ６０２、光ピックアップ６０３及びピックアップ駆動部６０４を備える。再生部６は、後方部分の左側面及び右側面にそれぞれ水平方向に突出した軸６０６を備え、前面に前方に突出した２つのピン６０５を備える。
【００１９】
ターンテーブル６０１は、ローダ部３によって筐体２の内部に搬送された光ディスクを保持する。スピンドルモータ６０２は、制御部の制御によりターンテーブル６０１を回転させる。ピックアップ駆動部６０４は、制御部の制御により、スピンドルモータ６０２の軸方向に光ピックアップ６０３をスライド駆動させる。光ピックアップ６０３は、光ディスクに記録されたオーディオデータを読み取る。
【００２０】
２つの軸受け７は、それぞれ下面が筐体２に固定され、再生部６の後方部分の左右の位置にそれぞれ配設される。２つの軸受け７は、それぞれ内側に凹状を成す凹部７０１を備える。再生部６は、左右側面から水平方向に突出した軸６０６がそれぞれ軸受け７の凹部７０１に挿入されることにより、軸受け７に軸支された状態となる。
保持部１１は、下面が筐体２に固定され、再生部６の前方となる位置に配設される。
【００２１】
図２（ａ）は、本実施例の光ディスク再生装置１において、再生部６及び保持部１１の構成を示す正面図である。
【００２２】
図１及び図２（ａ）に示すように、保持部１１は、薄い板状を成し、前後に貫通し長手方向が上下方向である２つの長孔部１１１を備える。２つの長孔部１１１は、再生部６の前面に備える２つのピン６０５がそれぞれ貫通した状態となる。２つの長孔部１１１は、上端部分にそれぞれ内壁が逆Ｖ字形状を形成する傾斜部１１２を備える。再生部６は、ピン６０５が長孔部１１１に貫通した状態となることにより、左右方向への移動が抑制され、上下方向のみ移動可能となる。
【００２３】
図２（ｂ）は、本実施例の光ディスク再生装置１において、スパイラルカム１７の構成を示す正面図である。
【００２４】
スパイラルカム１７は、薄い円盤型を成し、外周部分にギヤ１７１を備える。スパイラルカム１７は、中央部分に前後に貫通する中心孔１７２を備え、中心孔１７２の外周部分に溝部１７３を備える。図２（ｂ）に示すように、溝部１７３は、スパイラルカム１７の外周部分から反時計回り方向に従って内周方向に湾曲しながら延在する細長いスパイラル形状を形成する。本実施例においては、溝部１７３の外周方向の端部分の位置を位置Ａとし、溝部１７３の内周部分の端部分の位置を位置Ｂとする。
【００２５】
図３（ａ）及び図３（ｂ）は、本実施例の光ディスク再生装置１において、昇降部１８の構成を示す図で、図３（ａ）は正面図、図３（ｂ）は図３（ａ）の側面図である。
【００２６】
昇降部１８は、Ｔ型の板状を形成し、左右の両側にそれぞれ角型の孔１８３を備え、中央の下方部分に前方に突出するボス１８１を備える。ボス１８１は、後方に近似した位置に鍔部１８２を備える。
【００２７】
図３（ｃ）は、本実施例の光ディスク再生装置１において、トーションスプリング１９の構成を示す正面図である。
【００２８】
トーションスプリング１９は、弾性を有する鋼材から形成され、中央部分に孔１９１を備え、孔１９１の左右にそれぞれ上方に延在する腕部１９２を備える。
【００２９】
図４は、本実施例の光ディスク再生装置１において、再生部６、保持部１１、スパイラルカム１７、昇降部１８及びトーションスプリング１９の構成を示す正面図である。
図４においては、スパイラルカム１７のギヤ１７１の構成は図２（ｂ）に示すものとし、図示を省略する。
【００３０】
図１に示すように、カム軸支部２２は、下面が筐体２に固定され、スパイラルカム１７の前方となる位置に配設される。カム軸支部２２は、スパイラルカム１７の中心孔１７２を前後方向に軸支する。スパイラルカム１７は、カム軸支部２２に軸支されることにより、前後方向を軸として自在に回動可能に成される。
【００３１】
図１及び図４に示すように、昇降部１８は、保持部１１の前方に配設され、左右にそれぞれ備える孔１８３が保持部１１の長孔部１１１から前方に突出したピン６０５にそれぞれ挿入される。昇降部１８は、ピン６０５が孔１８３に挿入されることにより、左右方向への移動が抑止された状態となる。トーションスプリング１９は、昇降部１８の前方に配設され、孔１９１が昇降部１８のボス１８１に挿入されると共に鍔部１８２の後方となる位置に配設される。スパイラルカム１７の溝部１７３には、昇降部１８のボス１８１が挿入される。
【００３２】
図４に示すように、トーションスプリング１９は、孔１９１が昇降部１８のボス１８１に挿入された状態の場合、左右の腕部１９２が左右のピン６０５の下方にそれぞれ当接し、左右のピン６０５をそれぞれ上方に押圧するように設定されるものとする。また、図４に示すように、スパイラルカム１７の中心孔１７２の位置と昇降部１８のボス１８１の位置は、それぞれ垂直となる位置であって、スパイラルカム１７の中心孔１７２が昇降部１８のボス１８１より上方となる位置に配設されるものとする。
【００３３】
図１に示すように、カム駆動部１５は、モータ１５１、ギヤ１５２及びピニオンギヤ１５３を備える。モータ１５１は、筐体２に固定され、図示しない制御部の制御によってギヤ１５２を時計回り方向又は反時計回り方向に回転させる。ギヤ軸支部２３は、下面が筐体２に固定され、ピニオンギヤ１５３を前後方向に軸支する。ピニオンギヤ１５３は、同軸上に外径が異なる２つのギヤを備え、一方のギヤがギヤ１５２と噛合った状態で、かつ、他方のギヤがスパイラルカム１７のギヤ１７１と噛合った状態でギヤ軸支部２３に軸支される。スパイラルカム１７は、ギヤ１５２の回転力がピニオンギヤ１５３を介してギヤ１７１に伝達されることによって時計回り方向又は反時計回り方向に回動する。
【００３４】
この構成により、スパイラルカム１７は、モータ１５１が時計回り方向または反時計回り方向に回転することによって、時計回り方向または反時計回り方向に回転する。
【００３５】
図５は、本実施例の光ディスク再生装置１において、ローダ部３によって光ディスクを筐体２の内部にローディングした場合における再生部６とスパイラルカム１７の動作の過程を説明する図で、図５（ａ）はローダ部３によって光ディスクを筐体２の内部にローディングした後の状態を示す正面図、図５（ｂ）は図５（ａ）の側面図、図５（ｃ）は図５（ａ）及び図５（ｂ）の状態からスパイラルカム１７を前方から見て時計回り方向に回転した状態を示す正面図、図５（ｄ）は図５（ｃ）の側面図である。
図５（ａ）及び図５（ｂ）に示す状態においては、昇降部１８のボス１８１が図４（ｂ）に示すスパイラルカム１７の溝部１７３の位置Ａの位置に配設されているものとする。
【００３６】
図６は、本実施例の光ディスク再生装置１において、ローダ部３によって光ディスクを筐体２の内部にローディングした場合における再生部６とスパイラルカム１７の動作の過程を説明する図で、図６（ａ）は図５（ｃ）及び図５（ｄ）の状態からスパイラルカム１７を前方から見て更に時計回り方向に回転した状態を示す正面図、図６（ｂ）は図６（ａ）の側面図である。
図５及び図６においては、スパイラルカム１７のギヤ１７１の構成は図２（ｂ）に示すものとし、図示を省略する。
【００３７】
図１に示すように、筐体２の前方にスライドしたローダ部３の凹部３０２に光ディスク２０が載置された状態で、図示しない指示釦によって制御部にローディング指示信号が入力されると、制御部は、ローダ部３を筐体２の内部にスライドするようローダ駆動用モータ５を制御する。ローダ駆動用モータ５は、ピニオン５０１を回転させ、図５（ｂ）に示すように、光ディスク２０を載置したローダ部３を筐体２の内部にスライドする。
【００３８】
図５（ａ）及び図５（ｂ）の状態から図示しない指示釦によって制御部に再生指示信号が入力されると、制御部は、図１に示すモータ１５１を回転させ、カム駆動部１５がスパイラルカム１７を前方から見て時計回り方向に回転するよう制御する。カム駆動部１５は、制御部の制御により、モータ１５１を回転させ、ギヤ１５２を介してピニオンギヤ１５３を回転させ、このピニオンギヤ１５３に噛合ったスパイラルカム１７のギヤ１７１を時計回り方向に回転させる。すると、図５（ｃ）及び図５（ｄ）に示すように、ピン６０５が孔１８３に挿入され左右方向への移動を抑止された昇降部１８のボス１８１は、図２（ｂ）に示すスパイラルカム１７の溝部１７３の位置Ａの位置から溝部１７３の内壁を摺動しながらスパイラルカム１７の内周方向に移動する。昇降部１８は、スパイラルカム１７の中心孔１７２が昇降部１８のボス１８１より上方となる位置に配設されていることから、ボス１８１がスパイラルカム１７の内周方向に移動することによって上方に移動する。ピン６０５は、昇降部１８の孔１８３に挿入すると共にトーションスプリング１９の腕部１９２によって上方に押圧されていることから、昇降部１８が上昇するのに伴って上方に移動する。再生部６は、後方部分の軸６０６が軸受け７に軸支されていることから、ピン６０５が上方に移動することによって、軸６０６を軸として上昇する。
【００３９】
そして、更にスパイラルカム１７が時計回り方向に回転すると、再生部６が軸６０６を軸として更に上昇し、昇降部１８のボス１８１が図２（ｂ）に示すスパイラルカム１７の溝部１７３の位置Ｂの位置まで移動すると、図６（ｂ）に示すように、ターンテーブル６０１が、筐体２の内部に搬送された光ディスク２０の孔２１に挿入される。制御部は、ターンテーブル６０１が光ディスク２０の孔２１に挿入された後、クランパ１６を降下させるよう制御を行う。光ディスク２０は、クランパ１６が降下することによって、ターンテーブル６０１とクランパ１６によって孔２１が狭持される。
【００４０】
ターンテーブル６０１は、制御部の制御により光ディスク２０を回転させる。光ピックアップ６０３は、図１に示すピックアップ駆動部６０４により光ディスク２０の径方向にスライドし、光ディスク２０に記録されているデータを読み取る。光ピックアップ６０３により読み取られたデータは、図示しないデータ再生回路によって再生される。
【００４１】
以上の構成により、光ディスク再生装置１は、光ディスク２０に記録されたデータを再生することができる。なお、図６（ａ）及び図６（ｂ）に示すように、光ディスク２０を筐体２の内部にローディングし、光ディスク２０に記録されたデータを再生している状態から、光ディスク２０を光ディスク再生装置１の外部に排出する場合は、前述した方法と反対に、スパイラルカム１７を反時計回り方向に回転させて再生部６を降下させた後、ローダ部３を前方にスライドさせることによって光ディスク２０を外部に排出することができる。
【００４２】
図７は、本実施例の光ディスク再生装置１において、図６（ａ）及び図６（ｂ）に示すように、再生部６が上昇した状態における保持部１１、スパイラルカム１７、昇降部１８、トーションスプリング１９及びピン６０５を示す正面図である。
【００４３】
図６（ａ）及び図６（ｂ）に示すように、昇降部１８のボス１８１が図２（ｂ）に示すスパイラルカム１７の溝部１７３の位置Ｂの位置にある場合、長孔部１１１の上端の傾斜部１１２の頂点の位置は、孔１８３の上端の位置よりも僅かに下方の位置であるものとする。
図７においては、スパイラルカム１７のギヤ１７１の構成は図２（ｂ）に示すものとし、図示を省略する。
【００４４】
図６（ａ）及び図６（ｂ）に示すように、図１に示すカム駆動部１５によってスパイラルカム１７が時計回り方向に回転し、昇降部１８のボス１８１が図２（ｂ）に示すスパイラルカム１７の溝部１７３の位置Ｂの位置にある場合、図７に示すように、ピン６０５は保持部１１の長孔部１１１の上端に当接した状態となる。このとき、昇降部１８のボス１８１が図２（ｂ）に示すスパイラルカム１７の溝部１７３の位置Ｂの位置にある場合、長孔部１１１の上端の傾斜部１１２の頂点の位置は、孔１８３の上端の位置よりも僅かに下方の位置であり、かつ、トーションスプリング１９の腕部１９２がピン６０５を上方に押圧していることから、ピン６０５は、長孔部１１１の上端の傾斜部１１２とトーションスプリング１９の腕部１９２に狭持された状態となる。このように、ピン６０５が長孔部１１１の上端に備えた傾斜部１１２とトーションスプリング１９の腕部１９２との間で狭持された状態となることから、再生部６のピン６０５と保持部１１の長孔部１１１との間にはガタが生じない状態となる。
【００４５】
以上のように、本実施例の光ディスク再生装置１は、図６（ａ）及び図６（ｂ）に示すように、再生部６が上昇して光ディスク２０をターンテーブル６０１によって回転させ、光ディスク２０に記録されているデータを再生する場合、図７に示すように、再生部６のピン６０５と保持部１１の長孔部１１１との間にはガタが生じない状態となる。このことにより、例えば、再生部６によって再生する光ディスク２０が偏荷重を有しており、偏荷重を有する光ディスク２０をターンテーブル６０１によって回転させることによって光ディスク２０が水平方向又は上下方向に振動しても、再生部６のピン６０５と保持部１１の長孔部１１１との間にガタが生じないことから、偏荷重を有する光ディスク２０から発生した振動によって再生部６が振動してしまい、光ディスクに記録されているデータを光ピックアップが正確に読み取ることができなくなったり、光ディスクから伝達される断続的な振動によって再生部に備える光ピックアップや他の電子部品が破損してしまうことを防止することができる。
【００４６】
また、本実施例の光ディスク再生装置１は、スパイラルカム１７に備える溝部１７３に昇降部１８に備えるボス１８１を挿入させた状態でスパイラルカム１７を回転させることによって昇降部１８のボス１８１が溝部１７３に備えるスパイラル状の孔を摺動しながら昇降部１８が上昇または降下する構成とすることにより、ピン６０５をスムーズに上昇または降下させることができ、ピン６０５を上昇または降下させる過程における不用意な騒音を防止することができる。
【００４７】
本実施例の光ディスク再生装置１は、昇降部１８を上下方向に移動させる手段として図２（ｂ）に示すようなスパイラル状の溝部１７３にボス１８１を挿入し、スパイラルカム１７を時計回り方向に回転させる構成としたが、昇降部１８をスムーズに上下方向に移動させることができれば、図２（ｂ）に示すようなスパイラル状の溝部の構成でなくても、例えば、特殊な形状をした溝を備える構成としても良いし、また、例えば、傾斜溝を備えた板状の部材を備え、当該傾斜溝にピン６０５が挿入した状態で当該板状の部材を左右にスライドすることによってピン６０５を上下方向に移動させる構成としても良い。
【００４８】
本実施例の光ディスク再生装置１は、ピン６０５を上方に押圧するのにトーションスプリング１９を備える構成としたが、ピン６０５を上方に押圧することができれば、例えば、コイルスプリング部材によってピン６０５を上方に押圧する構成としても良いし、また、ウレタン部材のような弾性体によってピン６０５を上方に押圧する構成としても良い。
【産業上の利用可能性】
【００４９】
本発明は、光ディスクに記録されているデータを再生する光ディスク再生装置に有用に用いることができる。
【符号の説明】
【００５０】
１  光ディスク再生装置、２  筐体、２０１  開口部、
３  ローダ部、３０１  ディスク載置部、３０２  凹部、３０３  孔、
３０４  凸部、３０５  ラックギヤ、４  案内部、
５  ローダ駆動用モータ、５０１  ピニオン、
６  再生部、６０１  ターンテーブル、６０２  スピンドルモータ、
６０３  光ピックアップ、６０４  ピックアップ駆動部、６０５  ピン、
６０６  軸、７  軸受け、７０１  凹部、
１１  保持部、１１１  長孔部、１１２  傾斜部、
１５  カム駆動部、１５１  モータ、１５２  ギヤ、１５３  ピニオンギヤ、
１６  クランパ、２０  光ディスク、２１  孔、
１７  スパイラルカム、１７１  ギヤ、１７２  中心孔、１７３  溝部、
１８  昇降部、１８１  ボス、１８２  鍔部、１８３  孔、
１９  トーションスプリング、１９１  孔、１９２  腕部、
２２  カム軸支部、２３  ギヤ軸支部
【図１】
2012190499.tif 000003
【図２】
2012190499.tif 000004
【図３】
2012190499.tif 000005
【図４】
2012190499.tif 000006
【図５】
2012190499.tif 000007
【図６】
2012190499.tif 000008
【図７】
2012190499.tif 000009